(57)【要約】オプティカル効果提供媒体が開示されており、これは可視または近可視スペクトルで光反応を導出することにより１以上の選択された励起波長または波長帯（λＥＸ）の電磁放射の入射に反応する１以上の光反応型色素または顔料（１００）を有する色素粒子（１０）を含むか具えるキャリア媒体（１）を具える。前記キャリア媒体（１）の屈折率（ｎ１）と、前記色素粒子（１０）の屈折率（ｎ２；ｎ３）とは、前記１以上の光反応型色素または顔料（１００）に到達する電磁放射の入射量を最大化するよう選択される。また、このようなオプティカル効果提供媒体を特にセキュリティ、認証、および／または識別目的で、使用して光反応特性を導出することと、このような光反応特性を備える物品が開示されている。【選択図】図１
2013534941.tif 000002
【特許請求の範囲】
【請求項１】
オプティカル効果提供媒体であって、可視または近可視スペクトルで光反応を導出することにより１以上の選択された励起波長または波長帯（λＥＸ）の電磁放射の入射に応答する１以上の光反応型色素または顔料（１００）を有する色素粒子（１０）を含むか具えるキャリア媒体（１）を具え、
前記キャリア媒体（１）の屈折率（ｎ１）と、前記色素粒子（１０）の屈折率（ｎ２；ｎ３）とは、前記１以上の光反応型色素または顔料（１００）に到達する電磁放射の入射量を最大化するよう選択されることを特徴とするオプティカル効果提供媒体。
【請求項２】
請求項１のオプティカル効果提供媒体において、当該オプティカル効果提供媒体が印刷インク、ニス、または類似の印刷材料であり、前記キャリア媒体（１）として作用するバインダまたはビークルを含み、
前記キャリア媒体（１）の屈折率（ｎ１）は、硬化または乾燥状態の前記バインダまたはビークルの屈折率であることを特徴とするオプティカル効果提供媒体。
【請求項３】
請求項２のオプティカル効果提供媒体において、前記オプティカル効果提供媒体はセキュリティ印刷用のインクまたはニスであることを特徴とするオプティカル効果提供媒体。
【請求項４】
請求項１のオプティカル効果提供媒体において、前記オプティカル効果提供媒体は、前記キャリア媒体（１）として作用するキャリア層を具える転写材料または埋込材料であることを特徴とするオプティカル効果提供媒体。
【請求項５】
請求項４のオプティカル効果提供媒体において、前記転写材料は、フォイル、パッチ、およびホットスタンプまたはコールドスタンプ技術を含むフォイルスタンプ技術により基層の上に転写できる類似の転写材料を含む群から選択されることを特徴とするオプティカル効果提供媒体。
【請求項６】
請求項４のオプティカル効果提供媒体において、前記埋込材料は、糸、繊維、プランシェット、および基層の製造時に組み込み可能な類似の埋込材料を含む群から選択されることを特徴とするオプティカル効果提供媒体。
【請求項７】
請求項１乃至６のいずれかのオプティカル効果提供媒体において、前記色素粒子（１０）は１以上の膜またはシェルに封入された内核材料（３）を具える多層の色素粒子であり、この内核材料（３）は前記１以上の光反応型色素または顔料（１００）を有するか具え、
前記色素粒子の選択された屈折率が、前記膜またはシェル（２）の屈折率（ｎ２）を少なくとも含むことを特徴とするオプティカル効果提供媒体。
【請求項８】
請求項７のオプティカル効果提供媒体において、前記色素粒子の選択された屈折率がまた、内核材料（３）の屈折率（ｎ３）を少なくとも含むことを特徴とするオプティカル効果提供媒体。
【請求項９】
請求項７または８のオプティカル効果提供媒体において、前記内核材料（３）は環境温度において液体であることを特徴とするオプティカル効果提供媒体。
【請求項１０】
請求項１乃至９のいずれかのオプティカル効果提供媒体において、前記屈折率（ｎ１；ｎ２；ｎ３）は、前記電磁放射の入射の少なくとも選択された励起波長または波長帯（λＥＸ）において互いにほぼ合致するように選択されることを特徴とするオプティカル効果提供媒体。
【請求項１１】
請求項１０のオプティカル効果提供媒体において、前記屈折率（ｎ１；ｎ２；ｎ３）は、前記屈折率（ｎ１；ｎ２；ｎ３）間の絶対差が０．５未満となるよう選択されることを特徴とするオプティカル効果提供媒体。
【請求項１２】
請求項１１のオプティカル効果提供媒体において、前記屈折率（ｎ１；ｎ２；ｎ３）は、前記屈折率（ｎ１；ｎ２；ｎ３）間の絶対差が０．１未満となるよう選択されることを特徴とするオプティカル効果提供媒体。
【請求項１３】
請求項１乃至１２のいずれかのオプティカル効果提供媒体において、前記１以上の光反応型色素または顔料（１００）は、
−同じか長い波長または波長帯の放出により、電磁放射の入射を吸収し応答する蛍光色素または顔料、
−可視色、吸収、または透明の可逆変化により、電磁放射の入射に反応するフォトクロミック色素または顔料、を含む群から選択されることを特徴とするオプティカル効果提供媒体。
【請求項１４】
請求項１乃至１３のいずれかのオプティカル効果提供媒体において、前記キャリア媒体（１）は、前記少なくとも選択された励起波長または波長帯（λＥＸ）においてほぼ透明であることを特徴とするオプティカル効果提供媒体。
【請求項１５】
請求項１乃至１４のいずれかのオプティカル効果提供媒体において、二酸化チタン（ＴｉＯ２）サブ粒子といった添加剤または類似の屈折率の高い添加剤を、前記屈折率（ｎ１；ｎ２；ｎ３）の少なくとも１つを調整するために具えることを特徴とするオプティカル効果提供媒体。
【請求項１６】
請求項１５のオプティカル効果提供媒体において、前記添加剤は高屈折率の添加剤であることを特徴とするオプティカル効果提供媒体。
【請求項１７】
請求項１５のオプティカル効果提供媒体において、前記添加剤は、二酸化チタン（ＴｉＯ２）サブ粒子を含むことを特徴とするオプティカル効果提供媒体。
【請求項１８】
請求項１７のオプティカル効果提供媒体において、前記二酸化チタン（ＴｉＯ２）サブ粒子は、平均粒径が１ミクロン以下であることを特徴とするオプティカル効果提供媒体。
【請求項１９】
請求項１８のオプティカル効果提供媒体において、前記二酸化チタン（ＴｉＯ２）サブ粒子は、平均粒径が１００ｎｍ以下であることを特徴とするオプティカル効果提供媒体。
【請求項２０】
請求項１乃至１９のいずれかのオプティカル効果提供媒体において、さらに、カーボンブラックサブ粒子といった前記オプティカル効果提供媒体内で可視光の拡散を低減させる可視光吸収添加剤を具えることを特徴とするオプティカル効果提供媒体。
【請求項２１】
請求項１乃至２０のいずれかのオプティカル効果提供媒体において、さらに、前記少なくとも選択された励起波長または波長帯（λＥＸ）の１以上の狭帯域を優先的に吸収する狭帯域吸収顔料を含むことを特徴とするオプティカル効果提供媒体。
【請求項２２】
請求項１乃至２１のいずれかのオプティカル効果提供媒体において、前記色素粒子（１０）はほぼ球形の色素粒子であり、平均粒径が数ミクロン乃至数十ミクロン、好ましくは０．１〜１０ミクロンのオーダーであることを特徴とするオプティカル効果提供媒体。
【請求項２３】
請求項１乃至２２のいずれかのオプティカル効果提供媒体において、前記色素粒子（１０）はマイクロカプセル化された色素粒子であることを特徴とするオプティカル効果提供媒体。
【請求項２４】
請求項１乃至２３のいずれかのオプティカル効果提供媒体の使用であって、特にセキュリティ、認証、および／または識別目的で光反応型特性を提供することを特徴とする使用。
【請求項２５】
基層（５）と、１以上の印刷、転写、塗布、埋込、または前記基層（５）の上か内部に提供される光反応型特性とを具え、当該光反応型特性は請求項１乃至２３のいずれかのオプティカル効果提供媒体を使用して導出されることを特徴とする物品。
【請求項２６】
基層（５）と、当該基層（５）の表面上に設けられる下層（４）と、前記下層（４）の上に印刷、転写、塗布、埋込、または設けられる１以上の光反応型特性とを具え、当該光反応型特性は請求項１乃至２３のいずれかのオプティカル効果提供媒体を使用して導出されることを特徴とする物品。
【請求項２７】
請求項２６の物品において、前記下層（４）は広域帯吸収層であり、濃い色など好ましくは黒の層で可視スペクトルの大部分を吸収することを特徴とする物品。
【請求項２８】
請求項２６の物品において、前記下層（４）は可視スペクトルの一部、例えば色彩層のみを吸収する狭帯域吸収層であることを特徴とする物品。
【請求項２９】
請求項２６の物品において、前記下層（４）は、明るい色の、好ましくは白の層といった可視スペクトルの大部分を反射する広帯域反射層であることを特徴とする物品。
【請求項３０】
請求項２５乃至２９のいずれかの物品において、空気と前記キャリア媒体（１）の間の界面での光反応特性の露出面がほぼ平坦で平滑な面であることを特徴とする物品。
【請求項３１】
請求項２５乃至３０のいずれかの物品において、前記物品がセキュリティドキュメント、特に紙幣であることを特徴とする物品。
【発明の詳細な説明】
【技術分野】
【０００１】
本発明は一般に、可視スペクトルまたは近可視スペクトルの光反応を生成することにより、少なくとも選択された１の励起波長または波長帯の電磁放射の入射に反応する１以上の光反応顔料または色素を有する色素粒子を具えるか含むキャリア媒体を具える種類のオプティカル効果提供媒体に関する。
【背景技術】
【０００２】
本発明の文脈において、「オプティカル効果提供媒体」は、基板に印刷、転写、適用、埋込、あるいは別の方法で提供できる様々な媒体をいう。これは特に：
−印刷インク、ニス、および類似の印刷材料、特に銀行券などのセキュリティドキュメントの作成に関連して使用されるセキュリティ印刷／ニス；
−基板上に転写するための転写要素、例えば転写可能なフォイルまたはパッチ（銀行券などのセキュリティドキュメントへの適用に用いられる光学的可変デバイス：ＯＶＤ）；
−基板の製造時に埋込可能な埋込型材料、例えば埋込可能な糸、繊維またはプランシェット（planchettes：銀行券などのセキュリティドキュメントの作成に共通して用いられる）
。
【０００３】
印刷インク、ニスまたは類似の印刷型材料の場合、キャリア媒体は基本的に色素粒子のバインダまたはビークルであり、印刷またはニス塗布時に、実質的に液状またはペースト状であり、印刷／ニス塗布作業の後に、乾燥または養生して実質的に固形状態となる。
【０００４】
転写可能または埋込可能な材料の場合、キャリア媒体は実質的に固体のキャリア層（例えば適切なポリマ材料）である。転写材料の場合、適用プロセスは通常、所望の対象物の表面（例えばセキュリティドキュメントの面）に適用されるキャリア層（またはそれに結合された他の追加的な層）の面に設けられた粘着層の活性化を伴う。埋込可能な材料では、材料は基板にその製造時に直接埋め込まれる（例えば銀行券の作成に用いられる通常のコットンペーパーの繊維に結合される）。
【０００５】
適切な印刷プロセス（例えば凹版印刷、オフセット印刷、シルクスクリーン印刷等の、セキュリティ印刷産業で通常利用されるもの）、適用／転写プロセス（例えばホットまたはコールドスタンピング技術）、および埋込プロセス（例えばコットンペーパー基板の製造に関連して用いられる）は、当業者にとって知られており、本発明のオプティカル効果提供媒体の適用または形成に利用することができる。
【０００６】
オプティカル効果提供媒体は、この分野で公知である。既に本書の冒頭部で述べたように、本発明はオプティカル効果提供媒体のより特別なサブセットに向けられており、すなわち、可視または近可視スペクトルの光反応を生成することにより、１以上の選択された励起波長または波長帯の電磁放射の入射に反応する１以上の光反応顔料または色素を有する色素粒子を具えるか含むキャリア媒体を具える種類のオプティカル効果提供媒体に関する。
【０００７】
本発明の文脈において，光反応色素または顔料は、キャリア媒体に直接組み入れられるのではなく、むしろ明確にキャリア媒体に分散されるのは別個の色素粒子である。本発明の主題を形成するオプティカル効果は、少なくとも２つの構成要素を具え、これはキャリア媒体と色素粒子が含まれ、各色素粒子は前記光反応型色素または顔料を担持するプラットフォームまたはシステムで構成される。この構成の主な利点は、色素顔料を適切に設計して外部要素または影響から光反応型の色素や顔料を保護できることである。このような構成はさらに、光反応型色素または顔料が、各色素粒子内の局所的に安定環境に留まって残ることを保証する。
【発明の概要】
【０００８】
本発明の主な目的は、光反応型色素または顔料のパフォーマンスを最適化した、上述した種類のオプティカル効果提供媒体を提供することである。
【０００９】
より具体的には、本発明の目的は、光反応型色素または顔料の機能、特にその光学特性が、キャリア媒体や色素粒子に用いられる周辺材料といった要素によって劣化しないオプティカル効果提供媒体を提供することである。
【００１０】
これらの目的は、添付の特許請求の範囲に規定されたオプティカル効果提供媒体によって達成される。
【００１１】
したがって、可視または近可視スペクトルの光反応を提供することにより、１以上の選択された励起波長または波長帯の電磁放射の入射に反応する１以上の光反応顔料または色素を有する色素粒子を具えるか含むキャリア媒体を具えるオプティカル効果提供媒体が提供され、ここでキャリア媒体の屈折率および色素粒子の屈折率は、前記１以上の光反応型色素または顔料に到達する電磁放射の入射量を最大化するよう選択される。
【００１２】
上記オプティカル効果提供媒体の有利な実施例は、従属クレームのサブジェクトマターを形成する。
【００１３】
また、特にセキュリティ、認証、および／または識別目的で、光反応型特性を提供する上記オプティカル効果提供媒体の使用がクレームされている。
【００１４】
これに関し、さらに、基板と、印刷、転写、塗布、埋込、または他の方法で基板上または基板内に提供された１以上の光反応型特性とを有する物品が提供され、その光反応特性は上述のオプティカル効果提供媒体を用いて提供される。
【００１５】
また、基板と、当該基板の表面上に設けられた下層と、印刷、転写、塗布または他の方法で前記下層上に提供された１以上の光反応型特性とを具え、前記光反応型特性は上述のオプティカル効果提供媒体を用いて提供される。
【００１６】
上記物品の有利な実施例は、従属クレームのサブジェクトマターを形成する。
【図面の簡単な説明】
【００１７】
本発明の他の特徴と利点が、以下の本発明の実施例の詳細な説明を読むことにより一層明確となり、これらは非限定的な例としてのみ提示され、以下の添付図面に示されている。
【図１】図１は、本発明の実施例にかかるオプティカル効果提供媒体の概略断面図であり、色素粒子（図には色素粒子１つのみを示す）は多層の色素粒子であり、１以上の膜またはシェルに包含された内核材料を具え、内核材料は１以上の光反応型色素または顔料を含むか具える。
【図２】図２は、物品の概略断面図であり、例えば光応答特性を設けたセキュリティドキュメントであり、当該特性は図１のオプティカル効果提供媒体を用いて提供されている。
【図３】図３は、本発明のさらなる実施例に係る色素粒子の多様な例を示す概略図であり、微粒子の構成素がさらに内核材料内に混合されている。
【図４】図４は、本発明のさらなる実施例に係る色素粒子の多様な例を示す概略図であり、微粒子の構成素がさらに膜またはシェル内に混合されている。
【図５】図５は、本発明のさらなる実施例に係るオプティカル効果提供媒体の多様な例を示す概略図であり、微粒子の構成素がさらに色素粒子を取り巻くキャリア媒体に混合されている。
【発明を実施するための形態】
【００１８】
図１を参照すると、本発明の実施例にかかるオプティカル効果提供媒体の概略断面図が示され、ここで色素粒子（図１ではのみの色素粒子が符号１０で示される）は多層化された色素粒子であり、膜またはシェル２に内包された内核材料３を具え、内核材料３は一般に符号１００で示す１以上の光反応型色素または顔料を具える。
【００１９】
色素粒子１０はほぼ球形の色素粒子であり、数ミクロンまたは数十ミクロンのオーダーの平均粒径であり、好ましくは０．１〜１０ミクロンのオーダーである。このような多層の色素粒子は特に、適切なマイクロカプセル化技術を用いて生成されるマイクロカプセル化粒子とすることができる。本書において、内核材料３は好ましくは環境温度で液体である。
【００２０】
図１では単一の膜またはシェル２を示すが、２またはそれ以上の膜またはシェルを内核材料３の周りに設けてもよい。
【００２１】
図１に示すように、オプティカル効果提供媒体は、色素粒子１０を含むか有するキャリア媒体１を具える。
【００２２】
オプティカル効果提供媒体の特に有利な実践的な手段は、印刷インク、ニスまたは類似の印刷材料の形態とすることができる。この場合、本書の前段部分で述べたように、キャリア媒体１は基本的に、色素粒子のバインダまたはビークルであり、印刷時に実質的に液状またはペースト状であり、印刷後に乾燥または硬化して実質的に固形状態となる。バインダまたはビークルの特性は、関連する実践的な適用例およびインク／ニスの特性に依存する。水性または溶媒性のインク／ニスの場合、バインダまたはビークルは１以上の溶剤（例えば水）を含み、これが印刷動作の後の乾燥プロセスで蒸発する。ＵＶ硬化インク／ニスの場合、バインダまたはビークルは１以上のＵＶ活性硬化物質を含み、これが印刷動作の後のＵＶ照射により活性化して、典型的にバインダまたはビークルの重合が開始される。酸化（または酸化養生）型と呼ばれるインク／ニスも利用することができる。後者のケースでは、バインダまたはビークルは、気化酸素に触れると反応して重合プロセスを開始する１以上の参加型重合剤を含む。
【００２３】
代替的に、オプティカル効果提供媒体は、キャリア媒体１として作用するキャリア層を有する転写材料または埋込材料の形態をとってもよい。転写材料は例えばフォイル、パッチ、又は他の、ホットスタンプ技術やコールドスタンプ技術などのフォイルスタンプ技術によって基層上に転写する。埋込型材料は、糸、ファイバ、プランシェット、および、基層の製造工程において基層上に組み込まれる類似の埋込型材料であってもよい。
【００２４】
本発明に関して、キャリア媒体１の主たる特性は、キャリア媒体１の屈折率が設計されており、これをインデックスｎ１と称する。
【００２５】
同様に、本発明に関して役割を果たす特性は、色素粒子の屈折率である。図１の場合、各色素粒子が内核材料３と外膜またはシェル２を具え、ここで膜またはシェル２と内核材料３の屈折率をそれぞれ屈折率ｎ２、ｎ３と称する。
【００２６】
光反応型色素または顔料１００は、本例では内核材料３に含有されており、可視または近可視スペクトルの光反応を提供することにより選択的な励起波長または波長帯λＥＸの電磁放射の入射に反応する様々な適切な色素または顔料であってよい。以下の色素または顔料が特に実施可能である（ただし以下のリストは網羅的なものではない）：
−電磁放射の入射を吸収する蛍光色素または顔料（ＵＶ範囲の励起を含むが限定されない）であって、同じか長い波長または波長帯の放出に応答（可視または近可視スペクトルの放射を含むが限定されない）、
−可視の色、吸収、または透明の可逆変化により、特にＵＶ範囲で、電磁放射の入射に反応するフォトクロミック色素または顔料。
【００２７】
本発明によると、キャリア媒体１の屈折率ｎ１と、色素粒子１０の屈折率ｎ２、ｎ３は、光反応型色素または顔料１００に到達する電磁放射の入射量を最大化するよう選択される。
【００２８】
キャリア媒体１として作用する倍だまたはビークルを含む印刷インク、ニス、または類似の印刷材料において、バインダまたはビークルは印刷動作の後に通常行われる硬化または乾燥工程の結果として、状態変化する（すなわち液体またはペースト状からほぼ固体の状態へ）。このため、硬化または乾燥状態のバインダまたはビークルの屈折率ｎ１が重要となる。
【００２９】
光反応型色素または顔料１００に到達する電磁放射の入射量を最大化するには、入射する電磁放射の選択された連記波長または波長帯λＥＸで関連する屈折率を実質的に合致させることにより達成される。物質の屈折率は、対象となる関連波長に依存すると理解されたい。特に、多様な物質の屈折率は、可視スペクトルでの屈折率に比べると、ＵＶ範囲の波長で通常大きくなる。したがって、オプティカル効果提供媒体の多様な構成において関連する屈折率を合致させる際に、関連する励起波長（または波長帯）λＥＸを適切に考慮すべきである。
【００３０】
図１に概略を示す種類のオプティカル効果提供媒体で、色素粒子は二層の粒子であり外側膜またはシェル２と内核材料３の関連する屈折率ｎ２、ｎ３は、外側膜またはシェル２の屈折率ｎ２とキャリア媒体１の屈折率ｎ１に合致するに十分であることが示される状態で試験が行われた。内核材料の屈折率ｎ３と、他の屈折率ｎ１、ｎ２をさらに合致させると、しかしながら、このオプティカル効果提供媒体のパフォーマンス全体を最適化するのにさらに役立つ。
【００３１】
光反応型色素または顔料１００に到達する電磁放射の入射量を最大化するには、さらにキャリア媒体１が選択された励起波長または波長帯λＥＸにおいてキャリア媒体１自身の電磁放射の入射の吸収を防ぐために、実質的に透明であることを保証することにより達成される。
【００３２】
オプティカル効果提供媒体の関連成分の屈折率を調整する方法は、前記成分に適切な添加剤を組み込んで、本来の屈折率を変化させ、所望の屈折率に調整することにより行われる。可能な添加剤は特に、二酸化チタン（ＴｉＯ２）サブ粒子で、平均粒径が１ミクロン以下のオーダーで（より好適には１００ｎｍ以下）、または類似の高屈折率の添加剤である。二酸化チタンは比較的高い屈折率（約２．４〜２．８）であり、これは多くの材料より高い。しかしながら他の適切な添加剤を使用することができる。
【００３３】
同様に、カーボンブラックサブ粒子といった可視光吸収添加剤を使用してオプティカル効果提供媒体内の可視光の散乱を低減することが望ましい。
【００３４】
上記の添加剤は、オプティカル効果提供媒体の多様な成分のいずれか１つとして、多様なサブ粒子サイズ（小、大またはその組み合わせ）で、例えば内核材料３内（図３参照）、膜またはシェル２内（図４参照）、および／または、キャリア媒体１内（図５参照）に組み込むことができる。
【００３５】
図２に転じると、上記のオプティカル効果提供媒体を用いて、特にセキュリティ、認証、および／または識別目的のために、光反応型特性を提供する使用方法が示される。
【００３６】
図２は、光反応特性を設けたセキュリティドキュメントなどの物品の概略断面図であり、図１のオプティカル効果提供媒体を用いてこの特性を提供している。図１を参照して既に説明した同じ構成要素を示すのに、図１と同じ符号が図２でも使用されており、その要素の重ねての説明は省略する。
【００３７】
図２はさらに、上側面に下層４が設けられた基層５を示す（例えば紙幣を製造するのに用いられるコットンペーパー）。上記のオプティカル効果提供媒体を用いて提供される光反応型特性が、下層４の上に形成される。下層４は印刷、転写、塗布、あるいは他の方法で基層５の表面上に設けられる。適切な溶液で、例えばオフセット印刷により下層４を印刷することができる。
【００３８】
下層４の特性により、多様な効果と結果を得ることができる。
【００３９】
例えば、下層４は広域帯吸収層であり、例えば濃い色、例えば黒の層で可視スペクトルの大部分を吸収するよう設計されている。この方法により、光反応型色素または顔料を活性化するのに用いる電磁放射の入射が白色光（または類似の広域可視放射）であると仮定すると、下層４はこの光の大部分を吸収し、下の基層５の表面で生成されてしまう光の拡散と反射を防ぐ。
【００４０】
下層４は代替的に、可視スペクトルの一部、例えば色彩層のみを吸収する狭帯域吸収層であってもよい。これにより、前記狭帯域内での光の拡散および／または反射が防止され、光反応型特性の所望の性能またはオプティカル効果への影響が防止される。
【００４１】
さらに同様に、下層４は、明るい色の、好ましくは白の層といった可視スペクトルの大部分を反射する広帯域反射層であってもよい。
【００４２】
さらに光の拡散を防止する方法は、空気とキャリア媒体１の間の界面での光反応特性の露出面が実質的に平坦で平滑な面であることを保証することによる。
【００４３】
添付の特許請求の範囲に規定された本発明の範囲を逸脱することなく、上述した実施例に様々な変更および／または改良を施すことができる。例えば、色素粒子は単層（またはモノリシック）の粒子であってもよいし、図１から図４に示すような１つではなく、２またはそれ以上の膜またはシェルを具えてもよい。本発明は明らかに、１種類の色素粒子を含むオプティカル効果提供媒体に限定されるものではない。色素粒子内には多様な色素や顔料の組み合わせがあってもよい。その一例は、狭帯域吸収顔料を使用して、励起波長または波長帯から優先的に光の狭帯域を吸収することである。
【符号の説明】
【００４４】
１    キャリア媒体／バインダまたはビークル（印刷インク、ニス、または類似の印刷材料）／キャリア層（転写または埋込可能な素材）
１０  色素粒子
２    色素粒子１０の外側膜またはシェル（好適な実施例）
３    色素粒子１０の内核材料（好適な実施例）
１００  色素粒子１０内の光反応型色素または顔料
ｎ１  キャリア媒体１の屈折率
ｎ２  外側膜またはシェル２の屈折率
ｎ３  内核材料３の屈折率
４    下層
５    基層
【図１】
2013534941.tif 000003
【図２】
2013534941.tif 000004
【図３】
2013534941.tif 000005
【図４】
2013534941.tif 000006
【図５】
2013534941.tif 000007
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
オプティカル効果提供媒体であって、可視または近可視スペクトルで光反応を導出することにより１以上の選択された励起波長または波長帯（λＥＸ）の電磁放射の入射に応答する１以上の光反応型色素または顔料（１００）を有する色素粒子（１０）を含むか具えるキャリア媒体（１）を具え、
前記キャリア媒体（１）の屈折率（ｎ１）と、前記色素粒子（１０）の屈折率（ｎ２；ｎ３）とは、前記１以上の光反応型色素または顔料（１００）に到達する電磁放射の入射量を最大化するよう選択されることを特徴とするオプティカル効果提供媒体。
【請求項２】
請求項１のオプティカル効果提供媒体において、当該オプティカル効果提供媒体が印刷インク、ニス、または類似の印刷材料であり、前記キャリア媒体（１）として作用するバインダまたはビークルを含み、
前記キャリア媒体（１）の屈折率（ｎ１）は、硬化または乾燥状態の前記バインダまたはビークルの屈折率であることを特徴とするオプティカル効果提供媒体。
【請求項３】
請求項２のオプティカル効果提供媒体において、前記オプティカル効果提供媒体はセキュリティ印刷用のインクまたはニスであることを特徴とするオプティカル効果提供媒体。
【請求項４】
請求項１のオプティカル効果提供媒体において、前記オプティカル効果提供媒体は、前記キャリア媒体（１）として作用するキャリア層を具える転写材料または埋込材料であることを特徴とするオプティカル効果提供媒体。
【請求項５】
請求項４のオプティカル効果提供媒体において、前記転写材料は、フォイル、パッチ、およびホットスタンプまたはコールドスタンプ技術を含むフォイルスタンプ技術により基層の上に転写できる類似の転写材料を含む群から選択されることを特徴とするオプティカル効果提供媒体。
【請求項６】
請求項４のオプティカル効果提供媒体において、前記埋込材料は、糸、繊維、プランシェット、および基層の製造時に組み込み可能な類似の埋込材料を含む群から選択されることを特徴とするオプティカル効果提供媒体。
【請求項７】
請求項１乃至６のいずれかのオプティカル効果提供媒体において、前記色素粒子（１０）は１以上の膜またはシェルに封入された内核材料（３）を具える多層の色素粒子であり、この内核材料（３）は前記１以上の光反応型色素または顔料（１００）を有するか具え、
前記色素粒子の選択された屈折率が、前記膜またはシェル（２）の屈折率（ｎ２）を少なくとも含むことを特徴とするオプティカル効果提供媒体。
【請求項８】
請求項７のオプティカル効果提供媒体において、前記色素粒子の選択された屈折率がまた、内核材料（３）の屈折率（ｎ３）を少なくとも含むことを特徴とするオプティカル効果提供媒体。
【請求項９】
請求項７または８のオプティカル効果提供媒体において、前記内核材料（３）は環境温度において液体であることを特徴とするオプティカル効果提供媒体。
【請求項１０】
請求項１乃至９のいずれかのオプティカル効果提供媒体において、前記屈折率（ｎ１；ｎ２；ｎ３）は、前記電磁放射の入射の少なくとも選択された励起波長または波長帯（λＥＸ）において互いにほぼ合致するように選択されることを特徴とするオプティカル効果提供媒体。
【請求項１１】
請求項１０のオプティカル効果提供媒体において、前記屈折率（ｎ１；ｎ２；ｎ３）は、前記屈折率（ｎ１；ｎ２；ｎ３）間の絶対差が０．５未満となるよう選択されることを特徴とするオプティカル効果提供媒体。
【請求項１２】
請求項１１のオプティカル効果提供媒体において、前記屈折率（ｎ１；ｎ２；ｎ３）は、前記屈折率（ｎ１；ｎ２；ｎ３）間の絶対差が０．１未満となるよう選択されることを特徴とするオプティカル効果提供媒体。
【請求項１３】
請求項１乃至１２のいずれかのオプティカル効果提供媒体において、前記１以上の光反応型色素または顔料（１００）は、
−同じか長い波長または波長帯の放出により、電磁放射の入射を吸収し応答する蛍光色素または顔料、
−可視色、吸収、または透明の可逆変化により、電磁放射の入射に反応するフォトクロミック色素または顔料、を含む群から選択されることを特徴とするオプティカル効果提供媒体。
【請求項１４】
請求項１乃至１３のいずれかのオプティカル効果提供媒体において、前記キャリア媒体（１）は、前記少なくとも選択された励起波長または波長帯（λＥＸ）においてほぼ透明であることを特徴とするオプティカル効果提供媒体。
【請求項１５】
請求項１乃至１４のいずれかのオプティカル効果提供媒体において、前記屈折率（ｎ１；ｎ２；ｎ３）の少なくとも１つを調整するための添加剤を含むことを特徴とするオプティカル効果提供媒体。
【請求項１６】
請求項１５のオプティカル効果提供媒体において、前記添加剤は高屈折率の添加剤であることを特徴とするオプティカル効果提供媒体。
【請求項１７】
請求項１５のオプティカル効果提供媒体において、前記添加剤は、二酸化チタン（ＴｉＯ２）サブ粒子を含むことを特徴とするオプティカル効果提供媒体。
【請求項１８】
請求項１７のオプティカル効果提供媒体において、前記二酸化チタン（ＴｉＯ２）サブ粒子は、平均粒径が１ミクロン以下であることを特徴とするオプティカル効果提供媒体。
【請求項１９】
請求項１８のオプティカル効果提供媒体において、前記二酸化チタン（ＴｉＯ２）サブ粒子は、平均粒径が１００ｎｍ以下であることを特徴とするオプティカル効果提供媒体。
【請求項２０】
請求項１乃至１９のいずれかのオプティカル効果提供媒体において、さらに、前記オプティカル効果提供媒体内で可視光の拡散を低減させる可視光吸収添加剤を具えることを特徴とするオプティカル効果提供媒体。
【請求項２１】
請求項２０のオプティカル効果提供媒体において、前記可視光を吸収する添加剤は、カーボンブラックサブ粒子を含むことを特徴とするオプティカル効果提供媒体。
【請求項２２】
請求項１乃至２１のいずれかのオプティカル効果提供媒体において、さらに、前記少なくとも選択された励起波長または波長帯（λＥＸ）の１以上の狭帯域を優先的に吸収する狭帯域吸収顔料を含むことを特徴とするオプティカル効果提供媒体。
【請求項２３】
請求項１乃至２２のいずれかのオプティカル効果提供媒体において、前記色素粒子（１０）はほぼ球形の色素粒子であり、平均粒径が数ミクロン乃至数十ミクロンのオーダーであることを特徴とするオプティカル効果提供媒体。
【請求項２４】
請求項２３のオプティカル効果提供媒体において、前記色素粒子（１０）の平均粒径が０．１乃至１０ミクロンのオーダーであることを特徴とするオプティカル効果提供媒体。
【請求項２５】
請求項１乃至２４のいずれかのオプティカル効果提供媒体において、前記色素粒子（１０）はマイクロカプセル化された色素粒子であることを特徴とするオプティカル効果提供媒体。
【請求項２６】
請求項１乃至２３のいずれかのオプティカル効果提供媒体の使用であって、光反応型特性を提供することを特徴とする使用。
【請求項２７】
請求項２６の使用において、セキュリティ、認証、および／または識別目的で光反応型特性を提供することを特徴とする使用。
【請求項２８】
基層（５）と、１以上の印刷、転写、塗布、埋込、または前記基層（５）の上か内部に提供される光反応型特性とを具え、当該光反応型特性は請求項１乃至２５のいずれかのオプティカル効果提供媒体を使用して導出されることを特徴とする物品。
【請求項２９】
基層（５）と、当該基層（５）の表面上に設けられる下層（４）と、前記下層（４）の上に印刷、転写、塗布、埋込、または設けられる１以上の光反応型特性とを具え、当該光反応型特性は請求項１乃至２５のいずれかのオプティカル効果提供媒体を使用して導出されることを特徴とする物品。
【請求項３０】
請求項２９の物品において、前記下層（４）は可視スペクトルの大部分を吸収する広域帯吸収層であることを特徴とする物品。
【請求項３１】
請求項３０の物品において、前記下層（４）は濃い色の層であることを特徴とする物品。
【請求項３２】
請求項３１の物品において、前記下層（４）は黒の層であることを特徴とする物品。
【請求項３３】
請求項２９の物品において、前記下層（４）は可視スペクトルの一部のみを吸収する狭帯域吸収層であることを特徴とする物品。
【請求項３４】
請求項３３の物品において、前記下層（４）は色彩層であることを特徴とする物品。
【請求項３５】
請求項２９の物品において、前記下層（４）は、可視スペクトルの大部分を反射する広帯域反射層であることを特徴とする物品。
【請求項３６】
請求項３５の物品において、前記下層（４）は、明るい色の層であることを特徴とする物品。
【請求項３７】
請求項３６の物品において、前記下層（４）は、白の層であることを特徴とする物品。
【請求項３８】
請求項２８乃至３７のいずれかの物品において、空気と前記キャリア媒体（１）の間の界面での光反応特性の露出面がほぼ平坦で平滑な面であることを特徴とする物品。
【請求項３９】
請求項２８乃至３８のいずれかの物品において、前記物品がセキュリティドキュメントであることを特徴とする物品。
【請求項４０】
請求項３９の物品において、前記物品が紙幣であることを特徴とする物品。
【国際調査報告】
2013534941.tif 000008
2013534941.tif 000009